(57)【要約】【課題】発光素子の間で輝度がばらつかないようにする。【解決手段】第１発光側端子１５０及び第２発光側端子１６０は、発光素子１０２に電力を供給するために設けられている。発光素子１０２は、基板１１０に、第１電極１２０、有機層１３０、及び第２電極１４０を積層した構成を有している。第１電極１２０の上には、補助電極１２４（補助導電膜）が設けられている。補助電極１２４は、第１発光側端子１５０の第２層１５４に直接繋がっていない。このため、第１電極１２０のうち補助電極１２４が形成されていない領域は高抵抗領域１０６となり、第１電極１２０の残りの領域は低抵抗領域１０８となる。そして、少なくとも一つの発光素子１０２の高抵抗領域１０６の抵抗は、他の高抵抗領域１０６の抵抗と異なる。【選択図】図９
2015106451.tif 000002
【特許請求の範囲】
【請求項１】
基板と、
前記基板に形成され、互いに隣り合っており、第１導電膜、有機層、及び第２導電膜を有する複数の有機ＥＬ素子を備え、
前記複数の有機ＥＬ素子の前記第２導電膜は互いに繋がっており、
前記複数の有機ＥＬ素子の前記第１導電膜は互いに繋がっており、
前記第１導電膜は、前記複数の有機ＥＬ素子の間に位置する開口を複数有しており、
前記複数の開口のうち、２つの前記開口の長さは異なる発光装置。
【請求項２】
請求項１に記載の発光装置において、
前記第１導電膜は、前記複数の有機ＥＬ素子の間に位置する開口及び第３導電膜を複数有しており、
前記複数の第３導電膜は前記第１導電膜に接しており、
前記複数の第３導電膜のうち、２つの前記第３導電膜の長さは異なる発光装置。
【請求項３】
請求項１又は２に記載の発光装置において、
前記複数の有機ＥＬ素子の前記第１導電膜に接続している第１端子と、
前記複数の有機ＥＬ素子の前記第２導電膜に接続している第２端子と、
を備える発光装置。
【請求項４】
請求項３に記載の半導体装置において、
前記基板の端部側にある前記開口の長さは、前記基板の中央部側にある前記開口の長さに対して大きい発光装置。
【請求項５】
請求項４に記載の半導体装置において、
前記基板の端部側にある前記第３導電膜の長さは、前記基板の中央部側にある前記第３導電膜の長さに対して大きい発光装置。
【発明の詳細な説明】
【技術分野】
【０００１】
本発明は、発光装置に関する。
【背景技術】
【０００２】
近年は、有機ＥＬ（Organic Electroluminescence）素子やＬＥＤ（Light Emitting Diode）などを有する発光素子の開発が進んでいる。発光素子を発光させる場合、発光素子に電力を供給する必要がある。一方、複数の発光素子を並列に設けた場合、例えばある発光素子において陽極と陰極が短絡した場合など、特定の発光素子に電流が集中する場合がある。この場合、発光素子が劣化する恐れがある。
【０００３】
これに対して特許文献１には、複数の発光素子を並列に接続する配線と、各発光素子を、ヒューズ型配線で接続することが記載されている。これにより、発光素子に過電流が流れることを抑制できる、と記載されている。
【先行技術文献】
【特許文献】
【０００４】
【特許文献１】特開２００４−２９６１５４号公報
【発明の概要】
【発明が解決しようとする課題】
【０００５】
複数の発光素子を一つの光源として使用する場合、発光素子の間で輝度がばらつかないようにすることが望ましい。本発明が解決しようとする課題としては、発光素子の間で輝度がばらつかないようにすることが一例として挙げられる。
【課題を解決するための手段】
【０００６】
請求項１に記載の発明は、基板と、
前記基板に形成され、互いに隣り合っており、第１導電膜、有機層、及び第２導電膜を有する複数の有機ＥＬ素子を備え、
前記複数の有機ＥＬ素子の前記第２導電膜は互いに繋がっており、
前記複数の有機ＥＬ素子の前記第１導電膜は互いに繋がっており、
前記第１導電膜は、前記複数の有機ＥＬ素子の間に位置する開口を複数有しており、
前記複数の開口のうち、２つの前記開口の長さは異なる発光装置である。
【図面の簡単な説明】
【０００７】
【図１】図２から有機層及び絶縁層を取り除いた図である。
【図２】図３から第２電極を取り除いた図である。
【図３】図４から封止部材を取り除いた図である。
【図４】発光装置の平面図である。
【図５】図１の点線αで囲んだ領域の拡大図である。
【図６】発光装置の等価回路図である。
【図７】図１のＡ−Ａ断面図である。
【図８】図１のＢ−Ｂ断面である。
【図９】発光装置の変形例の第１例を示す平面図である。
【図１０】図９に示した発光装置の等価回路図である。
【図１１】発光装置の変形例の第２例を示す平面図である。
【図１２】発光装置の変形例の第３例を示す平面図である。
【発明を実施するための形態】
【０００８】
以下、本発明の実施の形態について、図面を用いて説明する。尚、すべての図面において、同様な構成要素には同様の符号を付し、適宜説明を省略する。
【０００９】
（実施形態）
図１、図２、図３、及び図４は、発光装置１００の平面図である。図３は、図４から封止部材１８０を取り除いた図であり、図２は、図３から第２電極１４０を取り除いた図であり、図１は、図２から有機層１３０及び絶縁層１７０を取り除いた図である。
【００１０】
発光装置１００は、例えば矩形などの多角形であり、複数の発光素子１０２（図２に図示）、第１発光側端子１５０、及び第２発光側端子１６０を有している。発光素子１０２は、例えば有機ＥＬ素子であるが、ＬＥＤ素子であってもよい。そして、複数の発光素子１０２によって発光部１０４が形成されている。以下、発光素子１０２が有機ＥＬ素子として説明を行う。
【００１１】
第１発光側端子１５０及び第２発光側端子１６０は、発光素子１０２に電力を供給するために設けられている。このため、第１発光側端子１５０及び第２発光側端子１６０には、発光装置１００に電力を供給するための接続部材（例えば金属配線）が接続される。第１発光側端子１５０は、第１の方向（図中左右方向）に延在しており、第２発光側端子１６０は第１の方向に交わる第２の方向（例えば図中上下方向）に延在している。
【００１２】
発光素子１０２は、基板１１０に、第１電極１２０（第１導電膜）、有機層１３０、及び第２電極１４０（第２導電膜）を積層した構成を有している。本図に示す例では、基板１１０の上に、第１電極１２０、有機層１３０、及び第２電極１４０がこの順に積層されている。ただし、第１電極１２０と第２電極１４０は逆になっていてもよい。
【００１３】
基板１１０は、たとえばガラス基板や樹脂基板などの透明基板である。基板１１０は、可撓性を有していてもよい。この場合、基板１１０の厚さは、例えば１０μｍ以上１０００μｍ以下である。この場合においても、基板１１０は無機材料及び有機材料のいずれで形成されていてもよい。基板１１０は、例えば矩形などの多角形である。
【００１４】
有機層１３０は、発光層を有している。有機層１３０は、例えば、正孔注入層、発光層、及び電子注入層をこの順に積層させた構成を有している。正孔注入層と発光層との間には正孔輸送層が形成されていてもよい。また、発光層と電子注入層との間には電子輸送層が形成されていてもよい。有機層１３０の少なくとも一つの層は、塗布法によって形成されている。なお、有機層１３０の残りの層は、蒸着法によって形成されている。なお、有機層１３０は塗布材料を用いて、インクジェット法、印刷法、スプレー法で形成しても構わない。
【００１５】
第１電極１２０は発光素子１０２の陽極として機能し、第２電極１４０は発光素子１０２の陰極として機能する。第１電極１２０及び第２電極１４０の一方（本図に示す例では第１電極１２０）は、光透過性を有する透明電極である。発光素子１０２が発光した光は、第１電極１２０及び第２電極１４０のうち透明電極となっている電極（本図に示す例では第１電極１２０）を介して外部に出射する。透明電極の材料は、例えば、ＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の無機材料、またはポリチオフェン誘導体などの導電性高分子を含んでいる。
【００１６】
また、第１電極１２０及び第２電極１４０の他方（本図に示す例では第２電極１４０）は、Ａｕ、Ａｇ、Ｐｔ、Ｓｎ、Ｚｎ、及びＩｎからなる第１群の中から選択される金属、又はこの第１群から選択される金属の合金からなる金属層を含んでいる。
【００１７】
より具体的には、第１電極１２０は、図１に示すように、第１発光側端子１５０に接続している。そして第１電極１２０は、基板１１０のうち、発光部１０４となる領域から第１発光側端子１５０まで連続して形成されている。本図に示す例では、基板１１０は矩形であり、第１発光側端子１５０は基板１１０のうち互いに対向する２辺に沿って設けられている。第１電極１２０は、この２辺の間に形成されている。
【００１８】
第１電極１２０には複数の開口１２２が設けられている。開口１２２は複数の発光素子１０２の間を延在しており、第１電極１２０を、複数の発光素子１０２のそれぞれに分割している。そして、いずれの発光素子１０２が有する第１電極１２０も、第１発光側端子１５０に接続している。このため、開口１２２が形成されていても、複数の発光素子１０２の第１電極１２０は互いにつながっており、共通の電極として機能する。なお、第１電極１２０のうち第１発光側端子１５０の近くに位置している部分には、開口１２２がなくてもよい。
【００１９】
図１におけるすべての開口１２２は、一方の第１発光側端子１５０にまで到達せず、他方の第１発光側端子１５０にまで延びて到達している。ただし、少なくとも一部の開口１２２は、一方の第１発光側端子１５０まで延びて到達していても構わない。例えば、後述する高抵抗領域１０６における抵抗値を調整するために、すべての開口１２２が、２つの第１発光側端子１５０に到達していなくても構わない。
【００２０】
また、図３に示すように、複数の発光素子１０２の第２電極１４０は互いに繋がっている。言い換えると、第２電極１４０は、複数の発光素子１０２に共通の電極として形成されている。詳細には、第２電極１４０は、有機層１３０及び絶縁層１７０の上に形成されており、また、第２発光側端子１６０に接続している。本図に示す例では、第２発光側端子１６０は、基板１１０のうち互いに対向する２辺に沿って形成されている。そして第２電極１４０は、これら２つの第２発光側端子１６０の間の領域を覆うように形成されている。
【００２１】
図１〜図４に示す例において、第１発光側端子１５０及び第２発光側端子１６０は発光部１０４の外側に配置されている。詳細には、２つの第１発光側端子１５０が第２の方向に互いに離れて配置されており、かつ、２つの第２発光側端子１６０が第１の方向に互いに離れて配置されている。そして、発光部１０４は、２つの第１発光側端子１５０の間、かつ２つの第２発光側端子１６０の間に位置している。このようにすると、第１電極１２０には２つの第１発光側端子１５０から電圧が供給され、かつ第２電極１４０には２つの第２発光側端子１６０から電圧が供給されるため、発光部１０４の内部で電圧に分布が生じることを抑制できる。これにより、発光部１０４に輝度の分布が生じることを抑制できる。
【００２２】
より具体的には、上記したように、発光装置１００は矩形である。そして、発光装置１００の互いに対向する２辺のそれぞれに沿って第１発光側端子１５０が形成されており、発光装置１００の残りの２辺のそれぞれに沿って第２発光側端子１６０が形成されている。そして、複数の発光素子１０２は、第１発光側端子１５０が延在している方向（第１の方向）に並んでいる。本図に示す例において、発光素子１０２は長方形であり、短辺が第１発光側端子１５０と平行な方向を向いている。第１発光側端子１５０の長さは、発光素子１０２の短辺よりも大きくなっている。
【００２３】
第１発光側端子１５０は、第１電極１２０と同一の層（第１層１５２）の上に第２層１５４を積層した構成を有している。そして第１層１５２は第１電極１２０と一体になっている。このため、第１発光側端子１５０と第１電極１２０の間の距離を短くして、これらの間の抵抗値を小さくすることができる。また、発光装置１００の縁に存在する非発光領域を狭くすることができる。
【００２４】
なお、本実施形態において、発光装置１００の縁は、発光装置１００（又は基板１１０）の端面からある程度内側までの領域を指している。別の言い方をすれば、発光装置１００の縁は、発光装置１００の端部のことである。発光装置１００の端部は、例えば、発光装置１００の発光部１０４（又は後述する絶縁層１７０）と基板１１０の端面の間の領域である。
【００２５】
第２層１５４は、第１電極１２０よりも抵抗値が低い材料（例えばＡｌなどの金属、またはＭｏ／Ａｌ／Ｍｏなどの金属の積層膜）によって形成されている。そして、第１発光側端子１５０に電圧を供給する接続部材は、第２層１５４に接続している。なお、第２層１５４は、第１電極１２０よりも透光性が低い。
【００２６】
また、第２発光側端子１６０は、第１層１６２の上に第２層１６４を積層した構成を有している。第１層１６２は第１電極１２０と同様の材料により形成されている。ただし、第１層１６２は第１電極１２０から分離している。第２層１６４は、第２層１５４と同様の材料により形成されている。
【００２７】
第１発光側端子１５０及び第２発光側端子１６０には、導電部材が接続する。第１発光側端子１５０の第１層１５２及び第２層１５４は、いずれも少なくとも一つの発光素子１０２の端部に沿って延在している。このため、第１発光側端子１５０は長くなり、発光装置１００に電力を供給する導電部材の配置の制約が少なくなる。従って、導電部材を第１発光側端子１５０に取り付けやすくなる。同様に、第２発光側端子１６０の第１層１６２及び第２層１６４は、いずれも少なくとも一つの発光素子１０２の端部に沿って延在している。このため、第２発光側端子１６０は長くなり、発光装置１００に電力を供給する導電部材の配置の制約が少なくなる。従って、導電部材を第２発光側端子１６０に取り付けやすくなる。
【００２８】
また、第１発光側端子１５０に第２層１５４を設け、かつ第２発光側端子１６０に第２層１６４を設けたため、第１発光側端子１５０及び第２発光側端子１６０の抵抗値を小さくすることができる。
【００２９】
なお、第１発光側端子１５０の幅（図１における左右方向の幅）及び第２発光側端子１６０の幅（図１における上下方向の幅）は、いずれも発光部１０４の幅の５０％以上であるのが好ましい。
【００３０】
また、上記した導電部材のうち第１発光側端子１５０（又は第２発光側端子１６０）に接続している部分は、発光部１０４の中心と重なっているのが好ましい。このようにすると、発光装置１００の電極に電圧分布が生じることをさらに抑制できるため、発光装置１００の内部で輝度に分布が生じることをさらに抑制できる。
【００３１】
第１電極１２０には、補助電極１２４（第３導電膜の一例）が接している。本図に示す例では、補助電極１２４は、第１電極１２０のうち基板１１０とは逆側の面に設けられている。補助電極１２４は、複数の発光素子１０２のそれぞれに設けられており、開口１２２の近くに位置している。補助電極１２４は、第１電極１２０よりも抵抗値の低い材料（例えばＡｌなどの金属）によって形成されている。補助電極１２４が形成されることにより、第１電極１２０の面内で電圧降下が生じることを抑制できる。これにより、発光装置１００の輝度に分布が生じることを抑制できる。
【００３２】
なお、本図に示す例において、補助電極１２４は２つの第１発光側端子１５０の間を延在しているが、２つの第１発光側端子１５０の第２層１５４のいずれにも直接接続していない。ただし、補助電極１２４は、いずれかの第２層１５４に直接接続していてもよい。
【００３３】
図２に示すように、第１電極１２０のうち第２層１５４で覆われていない領域の上には、絶縁層１７０が形成されている。絶縁層１７０は、例えばポリイミドなどの感光性の樹脂によって形成されている。絶縁層１７０には、複数の開口１７２が設けられている。開口１７２は、開口１２２及び補助電極１２４と平行に延在している。ただし、開口１７２は補助電極１２４及び第１電極１２０の開口１２２に重なっていない。このため、補助電極１２４は絶縁層１７０に覆われており、また、開口１２２のうち発光部１０４の内部に位置する部分も、絶縁層１７０によって覆われている。また、少なくとも開口１７２の内部には、上記した有機層１３０が形成されている。そして、第１電極１２０及び第２電極１４０の間に電圧又は電流が印加されることにより、開口１７２内に位置する有機層１３０は発光する。言い換えると、開口１７２のそれぞれの中に発光素子１０２が形成されている。
【００３４】
図２に示すように、第１電極１２０は、有機層１３０が成膜されている成膜部分と、有機層１３０が成膜されていない未成膜部分がある。この未成膜部分は、後述する高抵抗領域１０６の一部を構成している。この未成膜部分の一部は、絶縁層１７０で覆われていない露出領域１２６となっている。そして、上記した開口１２２は、成膜部分と未成膜部分の一方又は双方に形成されている。図１〜図４に示す例では、開口１２２は、成膜部分と未成膜部分の双方に形成されている。また、第１発光側端子１５０の第１層１５２は、この未成膜部分に設けられている。
【００３５】
また、図４に示すように、複数の発光素子１０２は封止部材１８０によって封止されている。封止部材１８０は、基板１１０と同様の多角形の金属箔又は金属板（例えばＡｌ箔又はＡｌ板）の縁部１８２の全周を押し下げた形状を有している。そして縁部１８２は接着材又は粘着材等で基板１１０に固定されている。
【００３６】
図５は、図１の点線αで囲んだ領域の拡大図である。図６は、発光装置１００の等価回路図である。上記したように、補助電極１２４は、第１発光側端子１５０の第２層１５４に直接繋がっていない。このため、第１電極１２０のうち補助電極１２４が形成されていない領域は高抵抗領域１０６となり、第１電極１２０の残りの領域は低抵抗領域１０８となる。高抵抗領域１０６の単位長さあたりの抵抗値は、低抵抗領域１０８の単位長さ上がりの抵抗値よりも大きい。好ましくは、高抵抗領域１０６の抵抗値は、低抵抗領域１０８の抵抗値よりも大きい。
【００３７】
なお、高抵抗領域１０６は、第１発光側端子１５０と発光部１０４との間に抵抗が生じればよく、高い抵抗値を有していても、小さい抵抗値を有していても構わない。ただし、第１発光側端子１５０からの電圧、又は電流が供給される際、発光部１０４に供給される電圧又は電流が一つの発光素子１０２に集中することを抑止する、いわゆる電流制限抵抗の領域となる点で、高い抵抗値を有していることが好ましい。
【００３８】
そして図６に示すように、高抵抗領域１０６は、陽極端子である第１発光側端子１５０と発光素子１０２の間に位置する抵抗素子（保護用の抵抗素子）として機能する。この抵抗素子が設けられることにより、いずれかの発光素子１０２において第１電極１２０と第２電極１４０が短絡しても、この発光素子１０２に電流が集中して発光装置１００が劣化することを抑制できる。また、高抵抗領域１０６を設けることにより、保護用の抵抗素子を設けて第１電極１２０に接続する必要がない。従って、発光装置１００の製造コストを低くすることができる。なお、高抵抗領域１０６の長さ、すなわち第１電極１２０のうち補助電極１２４を有していない部分の長さは、発光素子１０２の長さ（図２における上下方向の長さ）の１％以上５０％以下である。発光素子１０２の長さは、発光部１０４の面積を大きくできる点で３％以上３０％以下であることが好ましく、さらに好ましくは５％以下１０％以下である。
【００３９】
また、高抵抗領域１０６の面積は低抵抗領域１０８の面積よりも小さい。このため、高抵抗領域１０６が発光素子１０２と重なることを抑制できる。なお、高抵抗領域１０６が発光素子１０２と重なると、発光素子１０２の輝度に分布が生じる可能性が出てくる。
【００４０】
図７は、図１のＡ−Ａ断面図である。上記したように、第１発光側端子１５０は、第１電極１２０の端部（第１層１５２）の上に第２層１５４を積層した構成を有している。また、有機層１３０は封止部材１８０によって封止されている。封止部材１８０の内側には、乾燥剤が配置されていてもよい。封止部材１８０の縁部１８２は、絶縁性の接着層１８４を介して、基板１１０の上に形成された層（Ａ−Ａ断面では第２層１５４）に固定されている。ただし、第２層１５４のうち基板１１０の縁に近い部分は、縁部１８２から露出している。そして、第２層１５４のうち縁部１８２から露出している部分には、上記した導電部材が接続される。
【００４１】
図８は、図１のＢ−Ｂ断面である。上記したように、第２発光側端子１６０は、第１層１６２の上に第２層１６４（遮光層）を積層した構成を有している。封止部材１８０の縁部１８２は、絶縁性の接着層１８４を介して、第２発光側端子１６０の一部に固定されている。そして、第２発光側端子１６０のうち縁部１８２から露出している部分には、上記した導電部材が接続される。
【００４２】
図９は、発光装置１００の変形例の第１例を示す平面図であり、図１に対応している。図１０は、図９に示した発光装置１００の等価回路図であり、図６に対応している。本図に示す例において、開口１２２には、相対的に長い開口１２２ａと、開口１２２ａに対して短い開口１２２ｂがある。言い換えると、開口１２２の少なくとも２つは、互いに長さが異なる。そして、開口１２２ａの隣に位置する高抵抗領域１０６（図５参照）における第１電極１２０の面積は、開口１２２ｂの隣に位置する高抵抗領域１０６における第１電極１２０の面積よりも小さいため、抵抗値が高くなる。言い換えると、複数の発光素子１０２のうち少なくとも一つの高抵抗領域１０６は、他の発光素子１０２の高抵抗領域１０６に対して異なる抵抗値を有している。このため、開口１２２ａを適切な位置に設けることにより、発光部１０４の輝度に分布が生じることを抑制できる。
【００４３】
例えば本図に示す例では、基板１１０は矩形であり、第１発光側端子１５０は基板１１０のうち互いに対向する２辺に設けられており、第２発光側端子１６０は残りの２辺に設けられている。このような場合、最も第２発光側端子１６０の近くに位置する発光素子１０２は、他の発光素子１０２と比べて輝度が高くなる。そこで、基板１１０の端部側に位置する開口１２２を開口１２２ａとして、基板１１０の中央側に位置する開口１２２よりも短くする。一例として、最も第２発光側端子１６０の近くに位置する開口１２２を開口１２２ａにすると、発光部１０４の輝度に分布が生じることを抑制できる。
【００４４】
図１１は、発光装置１００の変形例の第２例を示す平面図であり、図９に対応している。本図に示す発光装置１００は、開口１２２の長さが同じである代わりに、少なくとも一つの補助電極１２４の長さが他の補助電極１２４の長さと異なっている点を除いて、図９に示した発光装置１００と同様の構成である。具体的には、高抵抗領域１０６の抵抗を大きくしたい発光素子１０２において、補助電極１２４を他の補助電極１２４より短くする。言い換えると、少なくとも２つの補助電極１２４の長さは互いに異なっている。このようにしても、発光部１０４の輝度に分布が生じることを抑制できる。例えば図１１に示す例では、基板１１０の端部側に位置する補助電極１２４ａは、基板１１０の中央側に位置する補助電極１２４ｂよりも長くなっている。
【００４５】
図１２は、発光装置１００の変形例の第３例の要部を示す平面図である。本図は、発光装置１００のうち第１発光側端子１５０の近くを拡大した図である。本図において、有機層１３０、第２電極１４０、及び封止部材１８０は省略されている。
【００４６】
図１２の上から下に向かって、発光装置１００は、第１発光側端子１５０、抵抗領域１０５、及び発光部１０４が示されている。ここで抵抗領域１０５は、第１発光側端子１５０と発光部１０４との間に抵抗が生じていればよく、高い抵抗値を有していても、小さい抵抗値を有していても構わない。ただし、抵抗領域１０５は、第１発光側端子１５０からの電圧又は電流が発光部１０４に供給される際、電圧又は電流が一つの発光素子１０２（例えば有機ＥＬ素子）に集中することを抑止する、いわゆる電流制限抵抗の領域となる点で、一定値以上（高い）抵抗値を有していることが好ましい。
【００４７】
第１発光側端子１５０は比較的広い領域を有する。第１発光側端子１５０は、第１電極１２０を構成する第１導電膜の上に、第１導電膜より抵抗値が小さい金属で構成される第４導電膜１５６が堆積した積層構造となっている。ここで、第４導電膜１５６は、Ａｌ等の金属材料で構成された膜、又は酸化しにくいＭｏ等で前述した金属材料を挟んだ積層膜で構成してもよい。
【００４８】
抵抗領域１０５は、第１導電膜（例えば第１電極１２０と同一の材料）で形成される。この第１導電膜は複数の開口１２２を有する。また、抵抗領域１０５の抵抗値を調整するため、少なくとも一部に上記した第４導電膜１５６が積層されていても構わない。図示の例では、第１発光側端子１５０にある第４導電膜１５６が抵抗領域側に突出することにより突出部１５８が形成されている。そして、突出部１５８は、発光部１０４（各発光素子１０２）に向かって延びている。突出部１５８の長さは、抵抗領域１０５の長さと略同じ又は小さくても構わなく、抵抗領域１０５の長さに対して０％〜１００％の間で適宜設定することができる。図示の場合には、突出部１５８の長さは抵抗領域１０５の長さの３０〜５０％程度である。
【００４９】
発光部１０４の発光素子１０２のそれぞれにおいて、その外周部（端部）には第５導電膜１９０が第１発光側端子１５０又は基板１１０の１辺に沿って形成された後、屈曲して第１導電膜の開口１２２に沿って向かって延びている。この開口１２２に沿っている部分は、補助電極１２４になっている。第５導電膜１９０は、開口１２２の上には形成されていない。すなわち第５導電膜１９０は、発光素子１０２のそれぞれに対して設けられている。この第１発光側端子１５０又は基板１１０の１辺に沿って形成された第５導電膜１９０を絶縁層１７０が覆っており、絶縁層１７０も発光部１０４の周囲を囲むように環状に形成されている。また、第１導電膜（第１電極１２０）の開口１２２に沿って延びている第５導電膜１９０（例えば補助電極１２４）及び第１導電膜の開口１２２を絶縁層１７０が覆っている。言い換えると、絶縁層１７０は環状の部分と、その環状の部分の内側に位置していて開口に沿う部分（直線状の部分）を備えている。
【００５０】
なお、第１導電膜（第１電極１２０）のうち絶縁層１７０の環状の部分で覆われる領域（第５導電膜１９０が形成されている領域を含む）も抵抗を有しているため、抵抗領域１０５として用いても構わない。これにより、抵抗領域の抵抗値の調整幅を拡大でき、また抵抗領域１０５の一部を発光部１０４の一部と重複させることで、非発光部の面積を小さくすることができる。
【００５１】
以上、図面を参照して実施形態及び実施例について述べたが、これらは本発明の例示であり、上記以外の様々な構成を採用することもできる。
【符号の説明】
【００５２】
１０ 発光装置
１０２ 発光素子
１０４ 発光部
１１０ 基板
１２０ 第１電極
１２２ 開口
１２４ 補助電極
１３０ 有機層
１４０ 第２電極
１５０ 第１発光側端子
１５２ 第１層
１５４ 第２層
１６０ 第２発光側端子
１６２ 第１層
１６４ 第２層
【図１】
2015106451.tif 000003
【図２】
2015106451.tif 000004
【図３】
2015106451.tif 000005
【図４】
2015106451.tif 000006
【図５】
2015106451.tif 000007
【図６】
2015106451.tif 000008
【図７】
2015106451.tif 000009
【図８】
2015106451.tif 000010
【図９】
2015106451.tif 000011
【図１０】
2015106451.tif 000012
【図１１】
2015106451.tif 000013
【図１２】
2015106451.tif 000014